(57)【要約】  【課題】  携帯電子機器を無接点でデータ転送を行う装置を提供する。  【解決手段】  携帯電子機器(１)とこの携帯電子機器(１)を装着するクレードル(２)とにそれぞれコントローラ(６)の出力端子にコイル(７)を接続してなるデータ搬送回路(８)を内蔵し、携帯電子機器(１)をクレードル(２)に設置した状態では携帯電子機器側データ搬送回路のコイル(７)とクレードル側データ搬送回路のコイル(７)とが同芯に位置するように構成し、クレードル(２)に周辺機器(Ｄ)を接続する接続コネクタを設置した。【選択図】    図１
2006180012.tif 000002
【特許請求の範囲】
【請求項１】
携帯電子機器(１)とこの携帯電子機器(１)を装着するクレードル(２)とにそれぞれコントローラ(６)の出力端子にコイル(７)を接続してなるデータ搬送回路(８)を内蔵し、携帯電子機器(１)をクレードル(２)に設置した状態では携帯電子機器側データ搬送回路のコイル(７)とクレードル側データ搬送回路のコイル(７)とが同芯に位置するように構成し、クレードル(２)に周辺機器を接続する接続コネクタを設置したことを特徴とするポータブル電子機器の無接点データ通信装置。
【請求項２】
接続コネクタがＵＳＢコネクタである請求項１に記載のポータブル電子機器の無接点データ通信装置。
【請求項３】
接続コネクタがＲＳ−２３２Ｃコネクタである請求項１に記載のポータブル電子機器の無接点データ通信装置。
【請求項４】
接続コネクタがＩＥＥＥ１３９４コネクタである請求項１に記載のポータブル電子機器の無接点データ通信装置。
【発明の詳細な説明】
【技術分野】
【０００１】
本発明は、携帯電話やデジタルカメラあるいは情報携帯端末(ＰＤＡ)などの携帯電子機器と外部機器との間でのデータ送受信のための通信装置に関する。
【背景技術】
【０００２】
従来、携帯電子機器とプリンタやコンピュータあるいは各種ストレージ機器等の外部機器との間でデータのやり取りを行う場合、ＵＳＢケーブルやＩＥＥＥ１３９４ケーブルなどでケーブル接続してデータのやり取りを行っていた。
【発明の開示】
【発明が解決しようとする課題】
【０００３】
ところが、従来のデータ搬送は端子同士の接触により、電気信号を送受信するようにしていることから、端子同士を当接しているコネクタ部分で接点不良が生じやすく、データ送受信の信頼性を損なうという問題を有していた。
【０００４】
本発明は、このような点に着目して、携帯電子機器を無接点でデータ転送を行う装置を提供することを目的としている。
【課題を解決するための手段】
【０００５】
携帯電子機器とこの携帯電子機器を装着するクレードルとにそれぞれコントローラの出力端子にコイルを接続してなるデータ搬送回路を内蔵し、携帯電子機器をクレードルに設置した状態では携帯電子機器側データ搬送回路のコイルとクレードル側データ搬送回路のコイルとが同芯に位置するように構成し、クレードルに周辺機器を接続する接続コネクタを設置したことを特徴としている。
【発明の効果】
【０００６】
本発明では、携帯電子機器とこの携帯電子機器を装着するクレードルとにそれぞれコントローラの出力端子にコイルを接続してなるデータ搬送回路を内蔵し、携帯電子機器をクレードルに設置した状態では携帯電子機器側データ搬送回路のコイルとクレードル側データ搬送回路のコイルとが同芯に位置するように構成し、クレードルに周辺機器を接続する接続コネクタを設置しているので、携帯電子機器のデータ搬送時に電磁誘導作用を利用して無接点でデータ搬送を行うことができる。
【発明を実施するための最良の形態】
【０００７】
図は本発明の実施形態を示し、図１はデジタルカメラのデータを送受信する場合を示している。
図中符号(１)はデジタルカメラ、(２)はデジタルカメラ(１)を装着するクレードルであり、クレードル(２)はＵＳＢケーブルやＲＳ−２３２Ｃケーブル等の通信用ケーブル(３)でパーソナルコンピュータ(４)やプリンタ(５)などの周辺機器(Ｄ)に接続してある。
【０００８】
そして、図２に示すように、デジタルカメラ(１)とクレードル(２)には、それぞれコントローラ(６)の出力端子にコイル(７)を接続してなるデータ搬送回路(８)が内蔵してあり、デジタルカメラ(１)をクレードル(２)にセットした際、それぞれのデータ搬送回路(８)に装着したコイル(７)同士が同芯に位置する状態に位置させてある。このため、クレードル(２)にデジタルカメラ(１)をセットすることにより、デジタルカメラ(１)側のコイル(７)とクレードル(２)側のコイル(７)との間の電磁誘導作業により、無接点接続の状態でデータ搬送を行うことになる。
【０００９】
なお、前記デジタルカメラ(１)とクレードル(２)に内蔵したデータ搬送回路(８)のうち、デジタルカメラ(１)側、すなわちホスト側のデータ搬送回路(８)に配置したコントローラ(６)には、デジタルカメラ(１)に内蔵した電源あるいは、外部からの電源から作動用電力を得ており、クレードル(２)側すなわちターゲット側のデータ搬送回路(８)に配置したコントローラ(６)には外部電源から作動用電力を得ている。
【００１０】
図３は、データ搬送回路(８)の概略回路図であり、この実施形態では、データ入力端子(９)をコントローラ(６)を構成しているスリーステートバツファ(10)の入力側に接続するとともに送信タイミング入力端子(11)をスリーステートバツファ(10)のタイミング端子に接続し、スリーステートバツファ(10)の出力端子をコンデンサ(12)を介してコイル(７)の一端に接続し、コイル(７)の他端を接地し、コンデンサ(12)と送受信コイル(７)との間から導出した出力回路(13)に２つのスリーステートバツファ(14)(15)を直列に配置して下流側スリーステートバツファ(15)の出力側にデータ出力端子(16)を接続して一方の送受信部を構成したものである。
【００１１】
図４は、データ搬送回路(８)に送信用コイル(７ｔ)と受信用コイル(７ｒ)とを別個に配置し、ホスト側のデータ搬送回路(８)の送信用コイル(７ｔ)とターゲット側データ搬送回路(８)の受信用コイル(７ｒ)、ホスト側のデータ搬送回路(８)の受信用コイル(７ｒ)とターゲット側データ搬送回路(８)の送信用コイル(７ｔ)とをそれぞれ対応させて同芯状に配置したものである。
【００１２】
図５は、本発明の別の適用例を示すもので、これは、ホスト側の携帯電子機器としてＰＤＡ(17)を用いたものもので、クレードル(２)に装着して無接点の状態で接続してデータのデータ搬送を行うようにしてある。
【００１３】
上記の実施形態では、クレードル(２)に形成する接続用コネクタとしてＵＳＢコネクタやＲＳ−２３２Ｃコネクタを用いる例で説明したが、この接続用コネクタはＩＥＥＥ１３９４コネクタであってもよい。また、場合によっては、ＬＡＮ接続するようにしてもよい。
【産業上の利用可能性】
【００１４】
本発明は、携帯電話やデジタルカメラあるいは情報携帯端末(ＰＤＡ)に格納されている電子データを外部に転送する器具に組み込んで、無接点でデータ搬送を行うことができる。
【図面の簡単な説明】
【００１５】
【図１】デジタルカメラのデータを送受信する場合での概念斜視図である。
【図２】データ搬送回路の概略構成図である。
【図３】データ搬送回路の一例を示す配線図である。
【図４】別の実施形態でのデータ搬送回路の概略構成図である。
【図５】ＰＤＡのデータを送受信する場合での概念斜視図である。
【符号の説明】
【００１６】
１…携帯電子機器、２…クレードル、６…コントローラ、７…コイル、８…データ搬送回路、Ｄ…周辺機器。
【図１】
2006180012.tif 000003
【図２】
2006180012.tif 000004
【図３】
2006180012.tif 000005
【図４】
2006180012.tif 000006
【図５】
2006180012.tif 000007